(57)【要約】【課題】防水性能を確保しながら簡単な構成で受信性能の高いアンテナを設ける。【解決手段】背面側キャビネット４にアンテナ７が収容されるアンテナ収容凹部４ｂを凹陥し、アンテナ７の基端側にビス挿通孔を有する導通材よりなる接地部８を設け、背面側キャビネット４にビス挿通孔に対応したナットが埋設された取付部９を設ける。背面側キャビネット４表面において、アンテナ用パターン１１の一端１１ａを取付部９に印刷し、さらに裏面側へ延ばす。そして、アンテナ用パターン１１の裏面側へ延びた他端に接続されるアンテナ用接点を配置する。【選択図】図１
2014082683.tif 000002
【特許請求の範囲】
【請求項１】
アンテナを有する携帯端末であって、
上記アンテナが収容されるアンテナ収容凹部が凹陥されたアンテナ側キャビネットと、
上記アンテナの基端側に設けられ、ビス挿通孔を有する導通材よりなる接地部と、
上記アンテナ側キャビネットに形成され、上記ビス挿通孔に対応したナットが埋設された取付部と、
上記アンテナ側キャビネット表面において、一端が上記取付部に印刷され、該取付部から裏面側へ延びるアンテナ用パターンと、
上記アンテナ用パターンの裏面側へ延びた他端に接続されるアンテナ用接点とを有する
ことを特徴とする携帯端末。
【請求項２】
請求項１の携帯端末において、
上記アンテナ側キャビネットの裏面側には、上記アンテナ用接点を有する回路基板が収容される基板側キャビネットが配置され、
上記アンテナ側キャビネットにおける上記アンテナ用パターンの一端と、上記他端との間には、上記アンテナ側キャビネットと上記基板側キャビネットとを締結するビスが挿通される貫通孔が配置されており、
上記アンテナ用パターンは、上記貫通孔を回避するように延びている
ことを特徴とする携帯端末。
【請求項３】
請求項１又は２の携帯端末において、
上記取付部における上記アンテナ用パターンが印刷される部分には、上記接地部に当接する複数の突起が形成されている
ことを特徴とする携帯端末。
【発明の詳細な説明】
【技術分野】
【０００１】
本発明は、アンテナを有する携帯端末に関するものである。
【背景技術】
【０００２】
従来より、防水機能を有する携帯電話機などの携帯端末では、アンテナを筐体内に内蔵することが行われている。例えば、特許文献１では、デジタルテレビ用アンテナ機能を有するインサート板金に固着されたピンを介して回路基板と電気的に接続するようにしている。
【先行技術文献】
【特許文献】
【０００３】
【特許文献１】特開２０１０−２６３２８３号公報
【発明の概要】
【発明が解決しようとする課題】
【０００４】
しかしながら、筐体内にアンテナを内蔵すると、必要な受信性能を達成できない場合がある。そこで、アンテナを延ばして外部に露出させるようにすると、防水性を保ちながら、筐体内の回路基板に電気的に信号を送らなければならない。
【０００５】
本発明は、かかる点に鑑みてなされたものであり、その目的とするところは、防水性能を確保しながら簡単な構成で受信性能の高いアンテナを設けることにある。
【課題を解決するための手段】
【０００６】
上記の目的を達成するために、この発明では、アンテナ用パターンをアンテナ側キャビネットに印刷してアンテナの信号を、その裏面側の回路基板に伝達できるようにした。
【０００７】
具体的には、第１の発明の携帯端末は、アンテナを有する携帯端末を対象とし、
上記携帯端末は、
上記アンテナが収容されるアンテナ収容凹部が凹陥されたアンテナ側キャビネットと、
上記アンテナの基端側に設けられ、ビス挿通孔を有する導通材よりなる接地部と、
上記アンテナ側キャビネットに形成され、上記ビス挿通孔に対応したナットが埋設された取付部と、
上記アンテナ側キャビネット表面において、一端が上記取付部に印刷され、該取付部から裏面側へ延びるアンテナ用パターンと、
上記アンテナ用パターンの裏面側へ延びた他端に接続されるアンテナ用接点とを有する。
【０００８】
上記の構成によると、アンテナ接地部のビス挿通孔にビスを挿通してアンテナ側キャビネットに埋設したナットに締め付けることにより、アンテナを確実に固定した状態でアンテナとアンテナ用パターンの一端側とが電気的に接続される。アンテナ用パターンは、アンテナ側キャビネットの裏側へ延び、その他端がアンテナ用接点に接続されるので、防水性を保ちながら簡単な構成でアンテナとアンテナ用接点とが確実に接続される。
【０００９】
第２の発明では、第１の発明に加え、
上記アンテナ側キャビネットの裏面側には、上記アンテナ用接点を有する回路基板が収容される基板側キャビネットが配置され、
上記アンテナ側キャビネットにおける上記アンテナ用パターンの一端と、上記他端との間には、上記アンテナ側キャビネットと上記基板側キャビネットとを締結するビスが挿通される貫通孔が配置されており、
上記アンテナ用パターンは、上記貫通孔を回避するように延びている。
【００１０】
上記の構成によると、貫通孔がアンテナ用接点の近くにあるので、貫通孔にビスを挿通して基板側キャビネットに締結することにより、確実にアンテナ用接点とアンテナ用パターンとが密着して電気的に接続される。そして、貫通孔がアンテナ用パターンの近くにあっても、板バネ等で繋ぐ場合に比べ、パターンを印刷する場合には貫通孔を避けるなどの変更が極めて容易である。
【００１１】
第３発明では、第１又は第２の発明に加え、
上記取付部における上記アンテナ用パターンが印刷される部分には、上記接地部に当接する複数の突起が形成されている。
【００１２】
上記の構成によると、複数の突起上にアンテナ用パターンが印刷されているので、接地部をビスで締結すると、複数の突起が接地部に当接し、アンテナ用パターンと接地部とが確実に電気的に接続される。
【発明の効果】
【００１３】
以上説明したように、本発明によれば、アンテナ側キャビネット表面にアンテナの接地部を取り付ける取付部から裏面側へ延びるアンテナ用パターンを印刷してアンテナ用接点に電気的に接続するようにしたことにより、防水性能を確保しながら簡単な構成で受信性能の高いアンテナを設けることができる。
【図面の簡単な説明】
【００１４】
【図１】アンテナの接地部及びその周辺を拡大して示す斜視図である。
【図２】本発明の実施形態に係る携帯電話機を正面側から見た斜視図である。
【図３】携帯電話機を背面側から見た斜視図である。
【図４】携帯電話機を背面側から見た分解斜視図である。
【図５】リアカバーを外した状態の携帯電話機を示す背面図である。
【図６】図５のVI−VI線拡大断面図である。
【図７】図５のVII−VII線拡大断面図である。
【図８】背面側キャビネットを省略したアンテナの接地部及びその周辺を拡大して示す斜視図である。
【図９】接地部を省略した取付部及びその周辺を拡大して示す斜視図である。
【図１０】アンテナ用パターンの他端及びその周辺の背面側キャビネットを拡大して示す斜視図である。
【発明を実施するための形態】
【００１５】
以下、本発明の実施形態を図面に基づいて説明する。
【００１６】
図２は、本発明の実施形態に係る携帯端末としての携帯電話機１を正面側から見た斜視図であり、図３は、携帯電話機１を背面側から見た斜視図であり、図４は、携帯電話機１を背面側から見た分解斜視図である。図５は、リアカバーを外した状態の携帯電話機１を示す背面図であり、図６は、図５のVI−VI線拡大断面図であり、図７は、図５のVII−VII線拡大断面図である。携帯電話機１は、例えばストレートタイプのスマートホンであり、正面に表示部２を収容する基板側キャビネットとしての正面側キャビネット３を備えている。この正面側キャビネット３は、矩形板状の金属フレーム３ａがインサート成形され、その正面側に液晶ディスプレイ、タッチパネル等を有する表示部２が収容されている。正面側キャビネット３は、キャビ締結用ビス５０を締結するための例えば６つのキャビ締結用ネジ孔３ｂを備えている。正面側キャビネット３の背面側には、回路基板６が装着されている。
【００１７】
正面側キャビネット３の背面側には、例えば樹脂成形品よりなる、アンテナ側キャビネットとしての背面側キャビネット４が結合されている。具体的には、背面側キャビネット４は、キャビ締結用ネジ孔３ｂに対応する、貫通孔としてのキャビ締結用貫通孔４ａを有し、キャビ締結用貫通孔４ａにキャビ締結用ビス５０（６本あるが、図４では２本のみ示す）を挿通してキャビ締結用ネジ孔３ｂにねじ込むことにより、正面側キャビネット３と背面側キャビネット４とが堅固に締結されている。なお、図６に示すように、キャビ締結用ビス５０には、Ｏリング５１が装着され、背面側キャビネット４から正面側キャビネット３内へ液体が浸入しないようになっている。
【００１８】
背面側キャビネット４の背面側は、矩形皿状のリアカバー５によって着脱自在に覆されている。リアカバー５の背面視で左上側には、アンテナ用開口５ａが矩形状に切り欠かれている。そして、このアンテナ用開口５ａに対応する位置にＴＶ信号等の受信用にアンテナ７が配置されている。図４に示すように、背面側キャビネット４には、上下に凹陥されたアンテナ収容凹部４ｂが形成され、このアンテナ収容凹部４ｂに縮小させたアンテナ７を収容可能となっている。
【００１９】
図１は、アンテナの接地部及びその周辺を拡大して示す斜視図であり、図８は、背面側キャビネット４を省略したアンテナ７の接地部及びその周辺を拡大して示す斜視図であり、図９は、接地部を省略した取付部及びその周辺を拡大して示す斜視図であり、図１０は、アンテナ用パターンの他端及びその周辺の背面側キャビネット４を拡大して示す斜視図である。図４及び図６にも示すように、アンテナ７は、外径の異なる棒状部材を伸縮可能に連結したアンテナ本体７ａと、このアンテナ本体７ａの基端側を揺動自在に支持する接地部８とを備えている、接地部８は、板状であり、ビス挿通孔８ａを有し、例えば導通材としてステンレス鋼板で構成されている。接地部８は、さらに位置決めピン８ｂを有する。この接地部８に対応させて、背面側キャビネット４に取付部９が凹陥されている。取付部９は、アンテナ収容凹部４ｂの上端の左右内側に配置され、ビス挿通孔８ａに対応した金属製のナット１０が圧入等により埋設されている。図９にも示すように、取付部９の底面は、概ね平坦であるが、ナット１０の周囲には、例えば４つの円錐状（半球状）の突起９ａが突設されている。そして、ナット１０の上側には、位置決めピン８ｂを収容する位置決め孔９ｂが凹陥されている。位置決めピン８ｂを位置決め孔９ｂに嵌め込むことにより、アンテナ７が定位置に配置されると共に、この状態でアンテナ取付用ビス５２をビス挿通孔８ａに挿通してナット１０に締結することにより、アンテナ７が確実に取り付けられるようになっている。なお、図６に示すように、ナット１０は、背面側キャビネット４の樹脂で覆われたナット用凹部９ｃに埋設されているので、防水性が保たれており、アンテナ取付用ビス５２には、Ｏリングを設ける必要がない。
【００２０】
そして、図８及び図９に示すように、背面側キャビネット４の表面には、アンテナ用パターン１１が印刷されている。このアンテナ用パターン１１は、矩形状の一端１１ａがナット１０周囲の突起９ａの周辺に印刷され、他端１１ｂが背面側キャビネット４の裏面側へ延びている。アンテナ用パターン１１の中間部１１ｃは、キャビ締結用貫通孔４ａを回避するように湾曲して延びている。アンテナ用パターン１１は、背面側キャビネット４に貫通した印刷用貫通孔１２を通り、裏面側に延びている。具体的には、図１０に示すように、アンテナ用パターン１１の他端１１ｂは、印刷用貫通孔１２を通過して裏面に大きく広がっている。なお、印刷用貫通孔１２内は、アンテナ用パターン１１の材料で充填されているので、防水されている。
【００２１】
一方、図８に示すように、回路基板６の印刷用貫通孔１２に対向する面には、弾性バネで構成されたアンテナ用接点１３が設けられている。このため、正面側キャビネット３と背面側キャビネット４とが締結されたときに、図７に示すように、弾性を有するアンテナ用接点１３が他端１１ｂに当接し、アンテナ７とアンテナ用接点１３とが確実に接続されるようになっている。
【００２２】
−実施形態の効果−
したがって、本実施形態では、アンテナ７の接地部８のビス挿通孔８ａにアンテナ取付用ビス５２を挿通して背面側キャビネット４に埋設したナット１０に締め付けることにより、アンテナ７を確実に固定した状態でアンテナ７とアンテナ用パターン１１の一端側とが電気的に接続される。アンテナ用パターン１１は、背面側キャビネット４の裏側へ延び、その他端がアンテナ用接点１３に接続されるので、防水性を保ちながら簡単な構成でアンテナ７とアンテナ用接点１３とが確実に接続される。
【００２３】
また、本実施形態において、背面側キャビネット４の裏面側には、アンテナ用接点１３を有する回路基板６が収容される正面側キャビネット３が配置され、アンテナ用パターン１１の一端１１ａと、他端１１ｂとの間には、背面側キャビネット４と正面側キャビネット３とを締結するキャビ締結用ビス５０が締結されるキャビ締結用貫通孔４ａが配置されており、アンテナ用パターン１１は、キャビ締結用貫通孔４ａを回避するように延びている。このように、キャビ締結用貫通孔４ａがアンテナ用接点１３の近くにあるので、キャビ締結用貫通孔４ａにキャビ締結用ビス５０を挿通してキャビ締結用ネジ孔３ｂに締結することにより、確実にアンテナ用接点１３とアンテナ用パターン１１とが密着して電気的に接続される。そして、キャビ締結用貫通孔４ａがアンテナ用パターン１１の近くにあっても、板バネ等で繋ぐ場合に比べてパターンを印刷する場合にはキャビ締結用貫通孔４ａを避けるなどの変更が極めて容易である。
【００２４】
さらに、本実施形態では、取付部９におけるアンテナ用パターン１１が印刷される部分には、接地部８に当接する複数の突起９ａが形成されている。このように、複数の突起９ａ上にアンテナ用パターン１１が印刷されているので、接地部８をアンテナ取付用ビス５２で締結すると、複数の突起９ａが接地部８に当接し、アンテナ用パターン１１と接地部８とが確実に電気的に接続される。
【００２５】
したがって、本実施形態によれば、背面側キャビネット４表面に取付部９から裏面側へ延びるアンテナ用パターン１１を印刷し、アンテナ用接点１３に電気的に接続するようにしたことにより、防水性能を確保しながら簡単な構成で受信性能の高いアンテナ７を設けることができる。
【００２６】
（その他の実施形態）
本発明は、上記実施形態について、以下のような構成としてもよい。
【００２７】
すなわち、上記実施形態では、携帯電話機１は、ストレートタイプのスマートホンとしたが、折畳み式携帯電話機、スライド式携帯電話機等でもよい。
【００２８】
上記実施形態では、携帯端末は、携帯電話機１としたが、アンテナを有するものであれば、ＰＨＳ（Personal Handy-phone System ）、ＰＤＡ(Personal Digital Assistant)、パソコン、モバイルツール、電子辞書、電卓、ゲーム機等であってもよい。
【００２９】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【産業上の利用可能性】
【００３０】
以上説明したように、本発明は、アンテナを有する携帯電話機などの携帯端末について有用である。
【符号の説明】
【００３１】
１      携帯電話機（携帯端末）
２      表示部
３      正面側キャビネット（基板側キャビネット）
３ａ    金属フレーム
３ｂ    キャビ締結用ネジ孔
４      背面側キャビネット（アンテナ側キャビネット）
４ａ    キャビ締結用貫通孔（貫通孔）
４ｂ    アンテナ収容凹部
５      リアカバー
５ａ    アンテナ用開口
６      回路基板
７      アンテナ
７ａ    アンテナ本体
８      接地部
８ａ    ビス挿通孔
８ｂ    位置決めピン
９      取付部
９ａ    突起
９ｂ    位置決め孔
９ｃ    ナット用凹部
１０      ナット
１１      アンテナ用パターン
１１ａ    一端
１１ｂ    他端
１１ｃ    中間部
１２      印刷用貫通孔
１３      アンテナ用接点
５０      キャビ締結用ビス（ビス）
５１      Ｏリング
５２      アンテナ取付用ビス
【図１】
2014082683.tif 000003
【図２】
2014082683.tif 000004
【図３】
2014082683.tif 000005
【図４】
2014082683.tif 000006
【図５】
2014082683.tif 000007
【図６】
2014082683.tif 000008
【図７】
2014082683.tif 000009
【図８】
2014082683.tif 000010
【図９】
2014082683.tif 000011
【図１０】
2014082683.tif 000012